(57)【要約】      （修正有）【課題】透析器材をコンパクトに収納し、患者の近くに設置して緊急時であっても、敏速に治療出来る透析器材収納ケースを提供する。【解決手段】収納ケース本体１の一定の深さを持った屋上開口部２に、適当なる縦横長さの仕切板３を設ける。この仕切板３を利用して作られたボックスＡ４、ボックスＢ５、ボックスＣ６、ボックスＤ７、ボックスＥ８、ボックスＦ９、ボックスＧ１０、ボックスＨ１１、ボックスＫ１２を設ける。さらに収納ケース本体１の正面１３の下部に、引出しスペースＭ１４を設け、これに引出ボックスＪ１５を装着して設ける。また右側面１６の下部に、引出しスペースＮ１７を設けて、これに引出ボックスＱ１８を装着して設ける。さらに左側面１９の下部にも、右側面と対称に、引出しスペースＰを設けて、これに引出ボックスＲ２１を装着して設ける。【選択図】図１
0003200030.tif 000002
【実用新案登録請求の範囲】
【請求項１】
収納ケース本体（１）の一定の深さを持った屋上開口部（２）に、適当なる縦横長さの仕切板（３）を設け、この仕切板（３）を利用して作られたボックスＡ（４）ボックスＢ（５）、ボックスＣ（６）、ボックスＤ（７）、ボックスＥ（８）、ボックスＦ（９）、ボックスＧ（１０）、ボックスＨ（１１）、ボックスＫ（１２）を設ける、さらに収納ケース本体（１）の正面（１３）の下部に、引出しスペースＭ（１４）を設け、これに引出ボックスＪ（１５）を装着して設ける、また右側面（１６）の下部に、引出しスペースＮ（１７）を設けて、これに引出ボックスＱ（１８）を装着して設ける、さらに左側面（１９）の下部にも、右側面と対称に、引出しスペースＰ（２０）を設けて、これに引出ボックスＲ（２１）を装着して設ける、このような特徴より成る、透析器材収納ケース。
【考案の詳細な説明】
【技術分野】
【０００１】  本考案は、患者のオーバーテーブルに設置できる透析器材収納に関するものである。
【背景技術】
【０００２】  現状は、透析器材を中心とした管理体制が無い為に、緊急時の透析患者に対しての素早い対応が出来なかった。つまり透析器材としての薬品や治療処置器材は、患者から離れた場所に保管されている。
現在の特許庁の開示文献例としては、特開平１０−１９２３４３のごとく、在宅医療箱等が開示されている。
【考案が解決しようとする課題】
【０００３】  現在、薬を入れて置く各家庭用の薬箱はあるが、そのほとんどは、胃薬、整腸剤、風邪薬、切り傷用ガーゼ、包帯、怪我等の軟膏類、ハサミ、ピンセット、体温計等の常備品を収めたものが、大半であり市販されている。しかし、透析患者を抱えた治療病院に必要な、透析器材を収納するコンパクトな専用の箱類は皆無であった。
これらの問題点を改善し、今までにない有効な本考案がなされたのである。
【課題を解決するための手段】
【０００４】  本考案は出来る限りの簡単構成で形成されている。以下解決手段を説明する。
まず、収納ケース本体（１）に、一定の深さを持たした屋上開口部（２）を形成する。
次にこの屋上開口部（２）に、適当なる縦横長さの仕切板（３）を設けて、適当なる大小のボックスＡ（４）、ボックスＢ（５）、ボックスＣ（６）、ボックスＤ（７）、ボックスＥ（８）、ボックスＦ（９）、ボックスＧ（１０）、ボックスＨ（１１）、ボックスＫ（１２）を形成して設ける。
さらに、収納ケース本体（１）の正面（１３）の下部に、引出しスペースＭ（１４）を設けて、この該スペースＭに、引出ボックスＪ（１５）を装着して設ける。またさらに、該本体の右側面（１６）の下部に、引出しスペースＮ（１７）設けて、引出ボックスＱ（１８）を装着して設け、また右側面（１６）と対称の反対側の左側面（１９）の下部にも、引出しスペースＰ（２０）を設けて、これに引出ボックスＲ（２１）を装着する。これら収納ケース本体及び、屋上開口部、仕切板、各種ボックス、引出しスペース等は、インジェクション成型により、形成される事がベストである。
本考案は以上のような特徴よりなる、透析器材収納ケースである。
【考案の効果】
【０００５】１．極めてシンプルな構成であるので、大量生産が出来る。
２．透析患者に必要な物品が、コンパクトなケースに収める事が出来るので、患者のオーバーテーブル上に設置して、出血などの緊急時にも素早く対応でき、ヘルパーを呼ばなくても、自分でも多少対応できるようになった。
３．従来、透析器材等はバラバラにいろんな場所に置いていたが、コンパクトケースに、透析器材専用として収まっているので、災害時に持って脱出できる。
４．材料が樹脂であるから成型機等で大量生産が可能でありローコストに出来、且つ軽量で耐久性にも優れている。
５．医者、看護婦、ヘルパー等が、患者の傍に何も持たず行くだけで透析治療が出来、病院としても、業務時間の短縮につながった。
【考案を実施するための最良の形態】
【０００６】  本考案は、必要最小限の透析器材を収納できる構成で、形成されている。
まず、ポリプロピレン（ＰＰ）等樹脂材で構成された、収納ケース本体（１）に一定の深さを持たした、屋上開口部（２）を形成して設ける。次にこの該開口部に、適当な縦横長さの仕切板（３）を装着して設けて、図１のごとく適当なる大小のボックスが形成される。つまり、ボックスＡ（４）、ボックスＢ（５）、ボックスＣ（６）、ボックスＤ（７）、ボックスＥ（８）、ボックスＦ（９）、ボックスＧ（１０）、ボックスＨ（１１）、ボックスＫ（１２）が形成され設けられる。さらに、収納ケース本体（１）の正面（１３）の下部に、ボックスを出し入れできるように、引出しスペースＭ（１４）を設け、これに引出ボックスＪ（１５）を装着して設ける。また同じように、該ケース本体の右側面（１６）の下部に、引出しスペースＮ（１７）を設けて、これに引出ボックスＱ（１８）を装着して設け、さらに該ケース本体の右側面（１６）と対称の反対側の左側面（１９）の下部にも、引出しスペースＰ（２０）を設けて、これに引出ボックスＲ（２１）を装着して設ける。そして本考案のベストモードとして、樹脂材料により、全体が構成されているので、インジェクション成型加工で、一括形成するのがベストである。
本考案は以上のような構成であり、これを使用実施するときには、【０００７】  例えば図１のように、ボックスＡ（４）にはイソジン消毒液を設け、ボックスＢ（５）には清拭用タオルを設け、ボックスＣ（６）には綿包帯を設け、ボックスＤ（７）にはガーゼ類を設け、ボックスＥ（８）に窄刺セット、ボックスＦ（９）に窄刺セット、ボックスＧ（１０）にヒビテン、ボックスＨ（１１）に止血パット、ボックスＫ（１２）には抗擬固剤入り注射器を設ける。さらに引出ボックスＪ（５）にはシリンジ（２．５〜２０ｃｃ）を設け、引出ボックスＱ（１８）には止血バンドを設け、さらに引出ボックスＲ（２１）には糖センサーを設ける。
このように、透析器材を収納して、患者のオーバーテーブル等に設置すれば良い。
【図面の簡単な説明】
【０００８】
【図１】  本考案の斜視図である。
【符号の説明】
【０００９】  １  収納ケース本体
２  屋上開口部
３  仕切板
４  ボックスＡ
５  ボックスＢ
６  ボックスＣ
７  ボックスＤ
８  ボックスＥ
９  ボックスＦ
１０  ボックスＧ
１１  ボックスＨ
１２  ボックスＫ
１３  正面
１４  引出しスペースＭ
１５  引出ボックスＪ
１６  右側面
１７  引出しスペースＮ
１８  引出ボックスＱ
１９  左側面
２０  引出しスペースＰ
２１  引出ボックスＲ
【図１】
0003200030.tif 000003